(57)【要約】【課題】収納容器を注出器にねじ込む際に生じるおそれのあった、構成部材の変形や破損を有効に防止することができる繰出し式注出器及び繰出し式注出容器を提案する。【解決手段】本発明の繰出し式注出器は、傾斜溝１２を設けた環状壁１１を有するベース部材１０と、縦溝２２を設けた筒状壁２１を備える回動部材２０と、筒状壁２１の内側から縦溝２２を貫いて傾斜溝１２へ至る凸部３２を備える周壁３１を有するスライド部材３０を備え、周壁３１の内側にて収納容器７０を吊り下げ保持可能とするねじ部４２を有するとともに注出器５０を保持したキャップ４０を、スライド部材３０に連結させ、回動部材２０に、間隔をあけて配置され縦溝２２に沿って延在する一対の縦リブ２６を設け、キャップ４０に、縦リブ２６間に向けて伸延する突起４５を設けたことを特徴とする。【選択図】図１
2014028638.tif 000002
【特許請求の範囲】
【請求項１】
傾斜溝を設けた環状壁を有するベース部材と、縦溝を設けた筒状壁を該環状壁の内側に備える回動部材と、該筒状壁の内側から該縦溝を貫いて該傾斜溝へ至る凸部を備える周壁を有し該回動部材の回動に応じて該縦溝に沿って移動するスライド部材とからなる繰出し機構を備え、
該周壁の内側にて内容物の収納容器を吊り下げ保持可能とするねじ部を有するとともに内容物を吐出させる注出器を保持するキャップを、前記スライド部材に連結させた繰出し式注出器において、
前記回動部材に、間隔をあけて配置され前記縦溝に沿って延在する少なくとも一対の縦リブを設け、
前記キャップに、該縦リブ間に向けて伸延して該回動部材に対して回り止めをなす突起を設けたことを特徴とする繰出し式注出器。
【請求項２】
請求項１に記載の繰出し式注出器を、前記ベース部材の外側にて該ベース部材を回り止め保持する容器本体に装着するとともに、前記回動部材の外側にて該回動部材に回り止め保持されるカバーを設け、該カバーに、該容器本体に設けた外向き爪部に係合し該カバーを回動可能かつ抜け出し不能に保持する内向き爪部を設けた繰出し式注出容器。
【請求項３】
前記容器本体は、該容器本体の底部又は底部を含めた胴部の一部を着脱自在に保持する係合部を有する請求項２に記載の繰出し式注出容器。
【発明の詳細な説明】
【技術分野】
【０００１】
本発明は、外側の部材を回動することで内側の部材を繰出すように構成した繰出し機構を適用した注出器、及びこの注出器を組み込んだ繰出し式注出容器に関するものである。
【背景技術】
【０００２】
従来、例えば口紅等を収納する容器としては、例えば特許文献１に記載されているように、螺条溝１１を有する回動筒３、割溝８を縦設した容器本体２、及び容器本体２の内側から割溝８を貫いて螺条溝１１に至る係合ピン１５を有する受皿４を備え、化粧筒１３を回動することで受皿４をスライドさせ、この受皿４に収納した化粧料を繰出すことができるように構成した、繰出し機構を備える容器が知られている。このような容器は、外側の部材を回動するだけの簡単な操作で化粧料を繰出すことができ、また使用後は、外側の部材を逆方向に回動すれば容器の内側に化粧料を収納できるので、使い勝手に優れている。
【先行技術文献】
【特許文献】
【０００３】
【特許文献１】実用新案登録第２５３１５３８号公報
【発明の概要】
【発明が解決しようとする課題】
【０００４】
ところで、例えばヘッドを押し下げることでポンプを駆動させて内容物を吐出させることができる注出器において、不使用時にヘッドを覆い隠すものとしては、オーバーキャップを被せるようにしたものが大半であるが、このような注出器、及び注出器を取り付けた容器においても、特許文献１に記載されているような繰出し機構を採用することができれば外側の部材を回動させるだけの簡単な操作で吐出可能とすることができ、さらに、オーバーキャップが不要になるという利点がある。そして、このような観点から、繰出し機構を用いた注出器の開発が行われてきたものの、特に、注出器と内容物を収納した収納容器との結合は、注出器に収納容器をねじ込むものが通常であるため、ねじ込みによって繰出し機構を構成する部材に大きな力が加わって、これらの部材の変形や破損等につながることがあり、従来の口紅のように挿入するだけで容器に取り付けられる機構をそのまま用いることができず、更なる改良が必要となっていた。
【０００５】
本発明は、このような問題を解決することを課題とするものであり、その目的は、内容物を吐出させる注出器に繰出し機構を適用するにあたって、収納容器を注出器にねじ込んで固定する際に生じていた各種の構成部材の変形や破損を有効に防止することができる、新たな繰出し式注出器、及びこの注出器を組み込んだ繰出し式注出容器を提案するところにある。
【課題を解決するための手段】
【０００６】
本発明は、傾斜溝を設けた環状壁を有するベース部材と、縦溝を設けた筒状壁を該環状壁の内側に備える回動部材と、該筒状壁の内側から該縦溝を貫いて該傾斜溝へ至る凸部を備える周壁を有し該回動部材の回動に応じて該縦溝に沿って移動するスライド部材とからなる繰出し機構を備え、
該周壁の内側にて内容物の収納容器を吊り下げ保持可能とするねじ部を有するとともに内容物を吐出させる注出器を保持するキャップを、前記スライド部材に連結させた繰出し式注出器において、
前記回動部材に、間隔をあけて配置され前記縦溝に沿って延在する少なくとも一対の縦リブを設け、
前記キャップに、該縦リブ間に向けて伸延して該回動部材に対して回り止めをなす突起を設けたことを特徴とする繰出し式注出器である。
【０００７】
また本発明は、上述した繰出し式注出器を、前記ベース部材の外側にて該ベース部材を回り止め保持する容器本体に装着するとともに、前記回動部材の外側にて該回動部材に回り止め保持されるカバーを設け、該カバーに、該容器本体に設けた外向き爪部に係合し該カバーを回動可能かつ抜け出し不能に保持する内向き爪部を設けた繰出し式注出容器である。
【０００８】
前記容器本体は、該容器本体の底部又は底部を含めた胴部の一部を着脱自在に保持する係合部を有することが好ましい。
【発明の効果】
【０００９】
繰出し式注出器において、回動部材に、間隔をあけて配置され筒状壁に設けた縦溝に沿って延在する少なくとも一対の縦リブを設け、収納容器をねじ部によって保持するキャップに、その縦リブ間に向けて伸延する突起を設けたので、この突起が回動部材に対するキャップの回り止めとなり、収納容器をねじ込んでも繰出し機構を構成する部材には力が加わらず、ひねられることがないので、これらの部材の変形や破損等を有効に防止することができる。
【００１０】
また、上記の繰出し式注出器に、ベース部材の外側に容器本体を装着し、回動部材の外側にカバーを装着すれば、収納容器を取り付けた注出器をカバーの回動によって出し入れすることができる繰出し式注出容器として用いることができる。このため、容器本体及びカバーを取り替えるだけで多種多様な製品に適用することが可能となる。
【００１１】
容器本体に、その底部又は底部を含めた胴部の一部を着脱自在に保持する係合部を設ける場合は、容器本体の底部及び底部を含めた胴部を取り外せば、収納容器が露出してキャップから取り外すことができるので、収納容器の交換作業が簡単に行えるようになる。
【図面の簡単な説明】
【００１２】
【図１】本発明に従う繰出し式注出器の実施形態を、カバーを装着した状態で示す図であり、軸線を境として右側を断面図、左側を側面図で示している。
【図２】（ａ）は図１に示す矢印Ａからの矢視図（カバーを除く）であり、（ｂ）は図４に示す矢印Ｃからの矢視図（カバーを除く）である。
【図３】（ａ）は図１に示すＢ−Ｂに沿う断面図であり、（ｂ）は図１の平面図である。
【図４】図１に示す姿勢からカバーを回動させて注出器を繰出した姿勢を示す図である。
【図５】本発明に従う繰出し式注出容器の実施形態を示す図であり、軸線を境として右側を断面図、左側を側面図で示している。
【図６】図５に示す姿勢からカバーを回動させて注出器を繰出した姿勢を示す図である。
【図７】本発明に従う繰出し式注出容器の他の実施形態を示す図であり、軸線を境として右側を断面図、左側を側面図で示している。
【発明を実施するための形態】
【００１３】
以下、図面を参照して、本発明をより具体的に説明する。
図１は、本発明に従う繰出し式注出器の実施形態を、カバーを装着した状態で示す図であって、図２（ａ）は図１に示す矢印Ａからの矢視図（カバーを除く）であり、（ｂ）は図４に示す矢印Ｃからの矢視図（カバーを除く）であって、図３（ａ）は図１に示すＢ−Ｂに沿う断面図であり、（ｂ）は図１の平面図であって、図４は、図１に示す姿勢からカバーを回動させて注出器を繰出した姿勢を示す図である。
【００１４】
図１において、符号１０はベース部材、符号２０は回動部材、符号３０はスライド部材を示し、これらによって繰出し機構を構成している。また、符号４０は、スライド部材３０に連結するキャップであり、このキャップ４０は、注出器５０を保持するとともに図１では図示を省略した収納容器をねじ止めによって保持することができる。
【００１５】
ベース部材１０は、環状壁１１を備えている。この環状壁１１には、図２（ａ）に示すように、傾斜溝１２を設けている。傾斜溝１２は図示のように直線状に傾斜するものでも、また螺旋状に傾斜するものでもよい。傾斜溝１２は少なくとも１つ設けられていて、複数個設ける場合は、周方向に均等となる配置で設けることが好ましい。また本実施形態においては、図１に示すように環状壁１１の内周面を凹ませるように設けているが、環状壁１１を貫通するものであってもよい。環状壁１１の外周面には、後述する容器本体に回り止め保持されるための結合部１３を設けている。結合部１３は、種々の回り止めの構成が採用できるが、例えばベース部材１０及び容器本体の何れか一方に少なくとも１つの凸部を設け、他方にこれに適合する凹部を設けておけばよい。
【００１６】
回動部材２０は、環状壁１１の内側に位置する筒状壁２１を備えている。この筒状壁２１には、図２（ａ）に示すように、筒状壁２１を貫通する縦溝２２を設けている。本実施形態においては、縦溝２２の両端部に、周方向に互いに逆向きに延びる横溝２２ａを設けていて、さらに下側の横溝２２ａの端部には下方へ延びて筒状壁２１の下端縁を切り取る切り溝２２ｂ（組立時に、後述するスライド部材３０の凸部を横溝２２ａ及び縦溝２２に嵌め込むための導入口として機能する。）を設けている。また図１に示すように筒状壁２１の上端には、筒状壁２１との間で下向き開放の環状空間を形成しこの環状空間に環状壁１１の上部を挿入させる引掛け部２３を設けている。筒状壁２１の下端には爪部２１ａを設けていて環状壁１１の下端に係合しているので、回動部材２０は、環状壁１１に対して抜け出し不能且つ回動自在に保持されている。さらに引掛け部２３の上部には、キャップ４０の下側への抜け出しを阻止するストッパー２４を設け、ストッパー２４の径方向外側には外側筒状壁２５を設けている。そして、外側筒状壁２５の内周面には、縦溝２２と同方向に延びる一対の縦リブ２６を設けていて、縦リブ２６は、図３（ａ）に示すように間隔をあけて配置されている。一対となる縦リブ２６は、少なくとも１組設けられているものであり（図示の例では２組）、複数組設ける場合は、周方向に均等となる配置で設けることが好ましい。また、外側筒状壁２５の上側外周面には、後述するカバーを回り止め保持する溝２７を設けている。
【００１７】
スライド部材３０は、筒状壁２１の内側に位置する周壁３１を備えている。周壁３１には、径方向外側に突出し縦溝２２を貫いて傾斜溝１２に至る凸部３２を設けている。
【００１８】
キャップ４０は、図示を省略した収納容器の口部を取り囲むキャップ環状壁４１を有し、この内周面に収納容器をねじ止めするねじ部４２を備えている。また、キャップ環状壁４１の上部には頂壁４３を一体連結させていて、キャップ環状壁４１の径方向外側には、頂壁４３に一体連結するとともに周壁３１に嵌合する環状の嵌合壁４４を設けている。さらに、頂壁４３の外縁には、図３（ａ）に示すように、一対の縦リブ２６間に伸延する突起４５を設けている。また突起４５は、図１に示すようにストッパー２４を覆うように伸延しているので、キャップ４０の下側への抜け出しを阻止する機能も併せ持つ。さらに、頂壁４３の径方向内側には、注出器５０を保持する結合部４６を設けている。本実施形態における結合部４６は、環状となる一対の壁部同士を上部でつないで下向きの環状空間を形成するように構成している。
【００１９】
注出器５０は、本実施形態においては、結合部４６に連結するポンプ５１、ポンプを駆動させるともにその内側に内容物の流路を備えるステム５２、ステム５２内に設けられた逆止弁５２ａ、及びステム５２に連結し内容物を吐出させるヘッド５３を備えている。なお、注出器５０はこのような形式のものに限られず、他の既知の注出器が採用可能である。
【００２０】
また、符号６０は、本実施形態の繰出し式注出器に装着されるカバーである。カバー６０は、図示の例では上部カバー６１及び下部カバー６２の２つの部材で構成されている。上部カバー６１は、図３（ｂ）に示すように、ヘッド５３が位置する部位に穴を設けた天壁６３を備えている。また、図１に示すように、天壁６３の穴の縁部には、ヘッド５３の下方側に位置し、カバー６０内にヘッド５３を収納した状態でその押し込みを防止する支持部６３ａを設けている。さらに天壁６３は、その外縁から垂下する上部カバー周壁６４を備えていて、上部カバー周壁６４の内周面には、回動部材２０の溝２７に適合するリブ６５を設けている。なお、溝２７及びリブ６５は相互に入れ換えて構成してもよい。また、筒状となる下部カバー６２は、上部カバー周壁６４と抜け出し不能に連結していて、その内周面には、回動部材２０の引掛け部２３に係合してカバー６０を繰出し式注出器から抜け出し不能に保持する係止部６６を設けている。さらに係止部６６の下方には、後述する容器本体に係合する内向き爪部６７を設けている。
【００２１】
上記のように構成される、カバー６０を装着した繰出し式注出器は、ベース部材１０に対してカバー６０を相対的に回動すると、カバー６０とともに回動部材２０、スライド部材３０及びキャップ４０も回動する。ここで、上述したようにスライド部材３０の凸部３２は、縦溝２２を貫くとともに相対的に回動しないベース部材１０の傾斜溝１２に達している。このため、凸部３２は、傾斜溝１２から斜め上方向に作用する力をうけつつ、傾斜溝１２及び縦溝２２にて拘束されるので、凸部３２は、図２（ａ）に示す位置から図２（ｂ）に示す位置に移動する。これにより、スライド部材３０に連結するキャップ４０は、図４に示すように注出器５０を伴って上方に繰出される。なお、本実施形態では、図２（ｂ）に示すように縦溝２２の上端部に横溝２２ａをつなげているので、凸部３２はそのまま横溝２２ａへ入り込む。これによりヘッド５３を押し込んでも、注出器５０がカバー６０内に押し込まれることを防止することができる。
【００２２】
また、上記の繰出し式注出器は、回動部材２０に設けた一対の縦リブ２６間にキャップ４０の突起４５を伸延させているので、キャップ４０は、回動部材２０に対して回動不能に保持されている。このため、キャップ４０に収納容器をねじ込んでも、ねじ込み時にキャップ４０に作用する力は、突起４５を介して縦リブ２６で受けることができるので、凸部３２によって、縦溝２２や傾斜溝１２を変形させたり、破損させたりする不具合を有効に防止することができる。なお、縦リブ２６は縦溝２２と同方向に延びているので、スライド部材３０の移動が妨げられることはない。
【００２３】
次に、カバー６０を装着した繰出し式注出器を容器本体に取り付けた、本発明に従う繰出し式注出容器について説明する。
図５は、本発明に従う繰出し式注出容器の実施形態を示す図であって、図６は、図５に示す姿勢からカバーを回動させて注出器を繰出した姿勢を示す図である。
【００２４】
図５における符号７０は、その内側に内容物を収納する収納容器である。本実施の形態において収納容器７０は、内容物の吐出に伴い、中皿Ｎが上昇するタイプのものを示したが、注出器５０との組み合わせにおいて、種々のものを採用可能である。また、収納容器７０の口部には、キャップ４０のねじ部に適合するねじ部７１が形成されている。これにより、内容物を使い切った後は、新たな収納容器７０に付け替えることができる。
【００２５】
また、図５における符号８０は、容器本体である。容器本体８０は、底部８１の縁部に胴部８２を一体連結させたものである。胴部８２の上方内周面には、ベース部材１０の結合部１３に適合する結合部８３を設けている。また、胴部８２の上方外周面には、カバー６０の内向き爪部６７に係合する外向き爪部８４を設けている。これにより、カバー６０を装着した繰出し式注出器を容器本体８０に装着すると、ベース部材１０は容器本体８０に回り止め保持され、カバー６０は、容器本体８０に回動可能かつ抜け出し不能に保持される。これにより、容器本体８０を保持した状態でカバー６０を回動させると、図６に示すように収納容器７０を保持した状態で注出器５０を繰出すことができる。その後、ヘッド５３の押し込むと、図示しないポンプ５１内の逆止弁の閉鎖下でステム５２内が加圧されて、ステム５２内の内容物が吐出される。一方、ポンプ５１内の図示しない弾性部材によってヘッド５３が復帰すると、逆止弁５２ａの閉鎖下でステム５２内に収納容器７０内の内容物が吸引される。このようなヘッド５３の押し込み、復帰動作が繰り返されることにより、内容物の連続的な吐出が可能となり、収納容器７０内の内容物の減少に伴って中皿Ｎは上昇する。
【００２６】
また、本発明に従う繰出し式注出容器は、上述した一体型の容器本体８０に代えて、図７に示すように、底部を取り外せるように構成した容器本体９０を用いることもできる。図示の例で容器本体９０は、底部及び下側の胴部を備える下側容器本体９１と、上側の胴部を備える上側容器本体９２とからなるものであり、下側容器本体９１及び上側容器本体９２は、それぞれに設けた係合部９１ａ及び９２ａによって着脱自在となっている。なお係合部９１ａ及び９２ａは、図示の例ではねじを設けた場合を示したが、他にも既知の種々の形式のものを採用することができる。これにより、収納容器７０を取り替えるには、下側容器本体９１を取り外すだけで済むので交換作業が簡単に行えるようになる。なお、収納容器７０と容器本体９０との間に十分隙間が確保される場合等は、この間に指を入れて収納容器７０を取り外すことができるので、容器本体９０の底部のみを着脱できるように構成してもよい。
【産業上の利用可能性】
【００２７】
本発明によれば、収納容器を注出器にねじ込む際に生じるおそれのあった、各種の構成部材の変形や破損を有効に防止することができる繰出し式注出器、及びこの注出器を組み込んだ繰出し式注出容器を提供できる。
【符号の説明】
【００２８】
１０  ベース部材
１１  環状壁
１２  傾斜溝
２０  回動部材
２１  筒状壁
２２  縦溝
２６  縦リブ
３０  スライド部材
３１  周壁
３２  凸部
４０  キャップ
４２  ねじ部
４５  突起
５０  注出器
６０  カバー
６７  内向き爪部
７０  収納容器
７１  ねじ部
８０  容器本体
８１  底部
８２  胴部
８４  外向き爪部
９０  容器本体
９１  下側容器本体
９２  上側容器本体
９１ａ、９２ａ  係合部
【図１】
2014028638.tif 000003
【図２】
2014028638.tif 000004
【図３】
2014028638.tif 000005
【図４】
2014028638.tif 000006
【図５】
2014028638.tif 000007
【図６】
2014028638.tif 000008
【図７】
2014028638.tif 000009